(57)【要約】低圧水銀蒸気放電ランプは、少なくとも２つの二重形ランプ部（１；２；３）を持ち、当該二重形ランプ部のそれぞれは第１の及び第２の管（１１，２１，３１；１２；２２；３２）を有する。第１の及び第２の管は、管相互接続手段（１０；２０；３０）を介して、第１の端部分（１１ａ，１２ａ；２１ａ、２２ａ；３１ａ，３２ａ）で相互接続される。放電経路が、２つの電極（１３；３３）間の管を通じて形成される。各電極は、管（１１；３２）のうちの１つの第２の端部分（１１ｂ；３２ｂ）に設けられる。他の第２の端部分（１２ｂ；２１ｂ；２２ｂ；３１ｂ）は、それぞれの密封された端（１２ｃ；２１ｃ；２２ｃ；３１ｃ）を備えている。互いに隣接した二重形ランプ部（１，２；２，３）の管（１２，２１；２２，３１）を相互接続するためのブリッジ部（５０；６０）は、第２の端部分（１２ｂ，２１ｂ；２２ｂ，３１ｂ）の近くに設けられる。密封された端（２１ｃ）のうちの少なくとも１つは、それぞれの密封された端に直接設けられる排気管（７１）を備えている。
2006527472.tif 000002
【特許請求の範囲】
【請求項１】
低圧水銀蒸気放電ランプであって、
少なくとも２つの二重形ランプ部を有し、これら二重形ランプ部のそれぞれは第１の管及び第２の管を有し、
前記第１の管及び前記第２の管は、管相互接続手段を介して前記各管の第１の端部分で相互接続され、
２つの電極間の前記管を通じる放電経路が形成され、前記各電極は前記管のうちの１つの第２の端部分に設けられ、前記第２の端部分は前記第１の端部分の反対を向き、前記電極は前記放電ランプの最端に設けられ、
前記管の他の第２の端部分が、それぞれ、密封された端を備え、
互いに隣接した二重形ランプ部の管を相互接続するためのブリッジ部が、前記管の前記第２の端部分の近くに設けられ、
前記密封された端のうちの少なくとも１つは、前記放電ランプの製造の間の排気及びガス供給のための排気管を備え、
前記排気管は前記密封された端に直接設けられる、
低圧水銀蒸気放電ランプ。
【請求項２】
請求項１に記載の低圧水銀蒸気放電ランプにおいて、前記排気管を備えた前記密封された端の付近に設けられる前記ブリッジ部は、前記密封された端から距離ｄ１に位置し、ｄ１≦１０ｍｍであることを特徴とする低圧水銀蒸気放電ランプ。
【請求項３】
請求項２に記載の低圧水銀蒸気放電ランプにおいて、前記距離ｄ１≦７．５ｍｍであることを特徴とする低圧水銀蒸気放電ランプ。
【請求項４】
請求項１又は２に記載の低圧水銀蒸気放電ランプにおいて、前記排気管は前記密封された部分に融合されることを特徴とする低圧水銀蒸気放電ランプ。
【請求項５】
請求項１又は２に記載の低圧水銀蒸気放電ランプにおいて、前記二重形ランプ部のそれぞれは、電極又は排気管を備えることを特徴とする低圧水銀蒸気放電ランプ。
【請求項６】
請求項１又は２に記載の低圧水銀蒸気放電ランプにおいて、前記管相互接続手段はブリッジ部分又は湾曲部であることを特徴とする低圧水銀蒸気放電ランプ。
【発明の詳細な説明】
【技術分野】
【０００１】
本発明は、低圧水銀蒸気放電ランプに関する。特に、本発明はコンパクトな蛍光ランプに関する。
【背景技術】
【０００２】
水銀蒸気放電ランプにおいて、水銀は紫外（ＵＶ）光の（効率的な）生成のための主要な成分を構成する。ルミネセント材料を有するルミネセント層が、放電容器の内側壁に存在し、ＵＶを他の波長に、例えば、日焼け目的（サンパネルランプ）のためにはＵＶ−Ｂ及びＵＶ−Ａに、又は、一般照明目的のためには可視光に、変換することができる。従って、このような放電ランプは、蛍光ランプとも呼ばれる。代替的に、発生する紫外光は、殺菌ランプ（ＵＶＣ）を製造するために用いられることができる。低圧水銀蒸気放電ランプの放電容器は、通常円形であり、細長くてコンパクトな実施例を有する。一般的に、コンパクトな蛍光ランプの管状放電容器は、比較的小さい直径を持つ一群の比較的短い直線部分を有し、これら直線部分は、ブリッジ部によって又は湾曲部を介して接続される。コンパクトな蛍光ランプは、通常、（一体型の）ランプキャップを備えている。一般的に、放電空間の放電を維持するための手段は、放電空間に構成される電極である。コンパクトな蛍光ランプにおいては、通常の白熱電球をコンパクトな蛍光ランプで更新することを促進するため、高さを短くする傾向がある。
【０００３】
英国特許公開公報第２３３５５３８号は、低圧水銀蒸気放電ランプを製造する方法を開示する。この方法において、前もって製造された４つの二重形管は、これら二重形管が水平面において移動することができるように、少し離れて保持される。接続のための４つの部分が、同時に加熱され、二重形管のうちの２つは、同時に水平に移動してブリッジ部分を形成し、管アセンブリを生じる。更に、ブリッジ接続の後のアニ−ル及び管アセンブリのブリッジへの接続は、同時に実行される動作である。既知のコンパクトな蛍光ランプは、連続放電経路を形成するためにブリッジに接続された８つのガラス管を有する。  
【発明の開示】
【発明が解決しようとする課題】
【０００４】
既知の低圧水銀蒸気放電ランプの欠点は、放電経路が依然として比較的短いということである。
【課題を解決するための手段】
【０００５】
本発明は、上記の欠点を全体的に又は部分的に解消することを目的とする。本発明によれば、この目的のため、冒頭段落に記載された種類の低圧水銀蒸気放電ランプは、少なくとも２つの二重形ランプ部を有し、これら二重形ランプ部のそれぞれは第１の管及び第２の管を有し、前記第１の管及び前記第２の管は、管相互接続手段を介して前記各管の第１の端部分で相互接続され、２つの電極間の前記管を通じる放電経路が形成され、前記各電極は前記管のうちの１つの第２の端部分に設けられ、前記第２の端部分は前記第１の端部分の反対を向き、前記電極は前記放電ランプの最端に設けられ、前記管の他の第２の端部分が、それぞれ、密封された端を備え、互いに隣接した二重形ランプ部の管を相互接続するためのブリッジ部が、前記管の前記第２の端部分の近くに設けられ、前記密封された端のうちの少なくとも１つは、前記放電ランプの製造の間の排気及びガス供給のための排気管を備え、前記排気管は前記密封された端に直接設けられる。
【０００６】
既知の低圧水銀蒸気放電ランプにおいては、電極を備えたステムが放電ランプの最端に挿入され、これにより、管を通じる放電経路を形成する。加えて、電極を持たない密封された端にも、ステムが設けられる。このようないわゆるダミーステムは、放電ランプの製造の間の排気及びガス供給のための排気管を備えている。しかし、放電ランプの管の中に突出するこれらのダミーステムの存在は、放電ランプを通じる放電経路の長さを低減する。本発明により、排気管を密封された端に直接設けることによって、ステムが避けられることができ、隣接した二重形ランプ部の管を互いに接続するためのブリッジ部が、管の他の第２の端部分の一層近くに設けられることができる。ブリッジ部が端部に一層近いので、本発明による低圧水銀蒸気放電ランプの管相互接続手段とブリッジ部との間の距離はより長く、放電経路の長さは増加される。
【０００７】
本発明の手法によれば、増加された長さの放電経路を有する低圧水銀蒸気放電ランプが得られ、既知の放電ランプより小さい高さを有するが同じ光特性を有する低圧水銀蒸気放電ランプの製造を可能にする。
【０００８】
本発明によれば、互いに隣接した二重形ランプ部の管を相互接続するためブリッジ部は、管の他の第２の端部分のより近くに設けられることができる。このために、本発明による低圧水銀蒸気放電ランプの好適な実施例は、排気管を備えた密封された端の付近に設けられるブリッジ部が、前記密封された端から距離ｄ１に位置し、ここでｄ１≦１０ｍｍであることを特徴とする。
【０００９】
好適には、ブリッジ部と放電ランプの密封された端との間の距離は、ｄ１≦７．５ｍｍである。非常にコンパクトな低圧水銀蒸気放電ランプが実現されることができる。なぜなら、放電経路の長さは、相当に増加され、既知の放電ランプより小さい高さを有し、同じ光特性を有する低圧水銀蒸気放電ランプの製造を可能にするからである。
【００１０】
本発明による低圧水銀蒸気放電ランプの好適な実施例は、排気管が密封された部分に融合されることを特徴とする。排気管及び密封された端は、低圧水銀蒸気放電ランプの製造の間、加熱され、これにより、排気管と密封された端との間に直接接続が確立される。
【００１１】
本発明による低圧水銀蒸気放電ランプの好適な実施例は、二重形ランプ部のそれぞれが、電極又は排気管を備えることを特徴とする。電極は、好適には、ステム状構造の形で設けられる。排気管は、管の密封された端に直接設けられる。
【００１２】
一般に、低圧水銀蒸気放電ランプの２つの実施例がある。管相互接続手段は、低圧水銀蒸気放電ランプの１つの実施例において、いわゆるブリッジ部分を有する。低圧水銀蒸気放電ランプの他の実施例において、管相互接続手段は、湾曲部を有する。
【発明を実施するための最良の形態】
【００１３】
本発明のこれらの及び他の側面は、以下で説明される実施例を参照して説明され明らかにされる。
【００１４】
図は、純粋に概略であり、縮尺通りに描かれていない。特に、幾つかの寸法は、明確さのため、大きく誇張された形で示されている。図中の類似した部品は、可能な限り同一参照番号により示されている。
【００１５】
図１は、少なくとも２つの二重形ランプ部１；２；３を有する低圧水銀蒸気放電ランプを図式的に示す。二重形ランプ部１；２；３のそれぞれは、第１の管１１；２１；３１及び第２の管１２；２２；３２を有する。第１の管１１；２１；３１及び第２の管１２；２２；３２は、各管１１、１２；２１、２２；３１、３２の第１の端部分１１ａ、１２ａ；２１ａ、２２ａ；３１ａ、３２ａで、管相互接続手段１０；２０；３０を介して相互接続される。図１の例において、管相互接続手段１０；２０；３０はいわゆる湾曲部を有する。図２は、図１に示される低圧水銀蒸気放電ランプの代替実施例を図式的に示す。図２の示された実施例において、管相互接続手段１０；２０；３０はいわゆるブリッジ部分を有する。
【００１６】
放電経路が、図１及び２に示される低圧水銀蒸気放電ランプの２つの電極１３；３３間の管１１、１２、２１、２２、３１、３２を通じて形成される。電極１３、３３のそれぞれは、第２の端部分１１ｂ；３２ｂが、第１の端部分１１ａ；３１ｂとは反対を向くように、管１１；３２のうちの１つの第２の端部分１１ｂ；３２ｂに設けられる。長い電極経路を得るために、電極１３；３３は、放電ランプの最端部に設けられる。
【００１７】
図１及び２の例において、電極１３；３３は、端部１１ｂ；３２ｂによって支持される。通常、電極１３；３３は、電子放出物質（この場合酸化バリウム物、酸化カルシウム及び酸化ストロンチウムの混合物）によってカバーされるタングステンの巻線である。それぞれの電極１３；３３の電流供給導体１３ａ，１３ｂ；３３ａ，３３ｂは、端部１１ｂ；３２ｂを通過して、放電ランプから外部まで出る。電流供給導体１３ａ，１３ｂ；３３ａ，３３ｂは、放電ランプ中の水銀蒸気圧を調和させるため、アマルガム（図１に示されない）を備えていてもよい。
【００１８】
管１１、１２、２１、２２、３１、３２によって形成される二重形ランプ部１；２；３は、水銀及び例えばアルゴンを有する不活性ガス混合物の充填を含む放電空間を気密に封入する。各管１１、１２、２１、２２、３１、３２の放電空間に面する側は、好適には保護層（図１に示されない）を備えている。各管１１、１２、２１、２２、３１、３２の放電空間に面する側は、加えて、ルミネセント層（図１に示されない）でコーティングされており、このルミネセント層は、励起された水銀の落下によって発生させられた紫外（ＵＶ）光を（全般的に）可視光に変換するルミネセント材料（例えば蛍光粉末）を含む。
【００１９】
電極１３；３３を備えた第２の端部分１１ｂ；３２ｂ以外に、管１２；２１；２２；３１の他の第２の端部分１２ｂ；２１ｂ；２２ｂ；３１ｂは、それぞれの密封された端１２ｃ；２１ｃ；２２ｃ；３１ｃを備えている。互いに隣接した二重形ランプ部（参照番号１、２を有するもの及び参照番号２、３を有するもの）の管１２、２１；２２、３１を相互接続するためのブリッジ部５０；６０が、管１２、２１；２２、３１の前記第２の端部分１２ｂ、２１ｂ；２２ｂ；３１ｂの付近に設けられる。加えて、密封された端２１ｃ；２２ｃのうちの少なくとも１つは、放電ランプの製造の間の排気及びガス供給のための排気管７１；７２を備えている。排気管７１；７２は、密封された端２１ｃ；２２ｃに直接設けられる。
【００２０】
図１の例では、密封された端のうちのただ１つ２１ｃが排気管７１を備えており、これは、密封された端２１ｃに直接設けられる。図２の例では、密封された端のうちの２つ２１ｃ；２２ｃがそれぞれの排気管７１；７２を備えており、これらも密封された端２１ｃ；２２ｃに直接設けられている。
【００２１】
ステム状構造が、電極１３；３３を低圧水銀蒸気放電ランプに取り付けるために使用される。本発明によれば、ステム状構造は、排気管７１；７２が設けられた位置では避けられる。既知の低圧水銀蒸気放電ランプにおいては、ステムは、電極を持っていない密封された端においても設けられる。このようないわゆるダミーステムは、放電ランプの製造の間の排気及びガス供給のための排気管（「排出管」）を備えている。しかしながら、放電ランプの管の中に突出するこれらのダミーステムの存在は、放電ランプを通じる放電経路の長さを低減する。本発明によって、排気管７１；７２を密封された端２１ｃ；２２ｃに直接設けることによって、ステムが避けられることができる。加えて、互いに隣接した二重形ランプ部１、２及び２、３の管１２、２１及び管２２、３１を相互接続するためのブリッジ部５０；６０は、それぞれ、管２１；２２の他の第２の端部分２１ｂ；２２ｂに一層近く設けられることができる。ブリッジ部５０；６０が第２の端部分２１ｂ；２２ｂに一層近いので、本発明による低圧水銀蒸気放電ランプの管相互接続手段１０；２０；３０とブリッジ部５０；６０との間の距離は、より長く、放電経路の長さは、相当に増加されることができる。
【００２２】
本発明による放電ランプの製造業者が、既知の放電ランプにおけるのと同じ光特性（同じ光出力）を維持すると決定するならば、その製造業者は、放電ランプの寸法を低減することができ、特に、製造業者は低圧水銀蒸気放電ランプの高さを低減することができる。
【００２３】
本発明の手段に鑑みて、互いに隣接した二重形ランプ部１，２；２、３の管１２、２１；２２、３１を相互接続するためのブリッジ部５０；６０は、管２１；２２の他の第２の端部分２１ｂ；２２ｂに大幅により近く設けられることができる。好適には、排気管７１；７２を備えた密封された端２１ｃ；２２ｃと付近に設けられたブリッジ部５０；６０との間の距離ｄ１は、ｄ１≦１０ｍｍである。距離ｄ１は、それぞれのブリッジ部５０；６０（図１及び２の破線を参照）の長手方向の軸に対して測定される。既知の低圧水銀蒸気放電ランプにおいて、ブリッジ部と放電ランプの密封された端との間の距離ｄ１は、１０ｍｍを大幅に上回り、通常１５ｍｍさえ上回る。好適には、距離ｄ１≦７．５ｍｍである。
【００２４】
本発明によれば、排気管７１；７２は、密封された部分２１ｃ；２２ｃに融合される。図３−Ａ、３−Ｂ及び３−Ｃは、本発明による放電ランプの製造のステップを図式的に示す。図３−Ａにおいて、排気管７１は、第２の端部分２１ｂの密封された端２１ｃの付近に持ってこられる（図３−Ａの矢印を参照）。この第２の端部分２１ｂは加熱され、排気管７１は第２の端部分の弱められたガラスに押し入れられる（図３−Ｂの矢印を参照）。排気管７１は密封された端２１ｃに接触し、熱は、密封された端２１ｃから排気管７１に伝達される。排気管７１の縁は、軟化して、第２の端部分２１ｂの密封された端２１ｃに融合する（図３−Ｂで図式的に示される）。次のステップとして、排気管７１は、密封された端部２１ｃが図３−Ｃに示される形状をとるまで、密封された端２１ｃから引き離される（図３−Ｃの矢印を参照）。好適には、密封された端の「肩」のガラスの量は、低減される。
【００２５】
上述の実施例は、本発明を制限するのではなく説明しているのであり、当業者は、添付の請求項の範囲から離れることなく代替の実施例を設計することができることに注意されたい。請求項において、括弧内に配置されたいかなる引用符号も当該請求項を制限するように解釈されてはならない。動詞「有する（comprise）」及びその活用形の使用は、請求項に記載された以外の要素又はステップの存在を排除するものではない。要素の前の冠詞「１つの（a又はan）」は、複数のこのような要素の存在を排除するものではない。本発明は、幾つかの個別素子を有するハードウェアにより、及び適切にプログラムされたコンピュータによって実現されることができる。幾つかの手段を列挙している装置請求項において、複数のこれらの手段は、ハードウェアの全く同一のアイテムによって実現されることもできる。特定の手段が相互に異なる従属請求項において記載されているという事実のみでは、これらの手段の組合せが有利に用いられることができないということを示すことにはならない。
【図面の簡単な説明】
【００２６】
【図１】本発明による低圧水銀蒸気放電ランプの実施例の断面図である。
【図２】図１に示す低圧水銀蒸気放電ランプの代替実施例を示す。
【図３−Ａ】本発明による放電ランプの製造のステップを示す。
【図３−Ｂ】本発明による放電ランプの製造のステップを示す。
【図３−Ｃ】本発明による放電ランプの製造のステップを示す。
【図１】
2006527472.tif 000003
【図２】
2006527472.tif 000004
2006527472.tif 000005
【国際調査報告】
2006527472.tif 000006
2006527472.tif 000007
2006527472.tif 000008